(57)【特許請求の範囲】
【請求項１】
バイパストレイに積載される用紙を１枚づつ搬出する給紙部と、この給紙部からの用紙を転写部に連なるメインルートへ搬入するための合流点とを有する給紙機構を装置本体に内蔵した画像形成装置であって、装置本体にバイパストレイを装着した状態で、給紙部と合流点との間の用紙搬送路を該装置本体外に引き出し可能に構成したことを特徴とする画像形成装置。
【請求項２】
用紙搬送路は、さらに装置本体から取り外し可能に構成したことを特徴とする請求項１記載の画像形成装置。
【請求項３】
用紙搬送路は、装置本体から引き出し可能で且つ取り外し可能な本体部と、この本体部上に装置本体外で開放可能となる蓋部とを備え、本体部と蓋部との間で用紙を搬送するものであることを特徴とする請求項２記載の画像形成装置。
【請求項４】
バイパストレイに積載される用紙を１枚づつ搬出する給紙部と、この給紙部からの用紙を転写部に連なるメインルートへ搬入するための合流点とを有する給紙機構を装置本体に内蔵した画像形成装置であって、給紙部と合流点との間の用紙搬送路を、装置本体外に引き出し可能で且つ取り外し可能な本体部と、この本体部上に装置本体外で開放可能となる蓋部とを備え、本体部と蓋部との間で用紙を搬送するように構成したことを特徴とする画像形成装置。
【請求項５】
用紙搬送路が装置本体から引き出された状態で、蓋部が開放可能であることを特徴とする請求項３又は４記載の画像形成装置。
【請求項６】
用紙搬送路は、少なくとも１対の搬送ローラを対向配備し、この搬送ローラ対で用紙を搬送方向に排出可能としたことを特徴とする請求項１〜５のいずれかに記載の画像形成装置。
【発明の詳細な説明】
【０００１】
【発明の属する技術分野】
本発明は、例えば複写機、プリンタ、ファクシミリ等のように、給紙機構を備えた画像形成装置に関するものである。
【０００２】
【従来の技術】
小型複写機においては、給紙カセットから引き出される用紙は、縦方向に延設された給紙搬送路に急激に方向転換されて搬送されるので、厚紙やＯＨＰシート、表面コート紙などの特殊用紙を給紙カセットに収納して使用することは困難である。このため、特殊用紙を収納可能なバイパストレイを給紙カセットとは別個に設け、このバイパストレイから画像出力部まで搬送される特殊用紙が急激に方向転換しないようにバイパス搬送路を構成したものがある。
【０００３】
従来の複写機では、複写機本体の右側或いは左側に開閉自在のトレイを設け、バイパスを使用するときにのみ、これを開いて用紙を積載する構成をとっていたが、バイパスからの出力が終わると残った用紙を取り除いてトレイを閉めておくのが手間であった。
【０００４】
そこで、改良品として、バイパスを本体内に収納し、所定サイズ（例えば最も使用頻度が高いＡ４横サイズまで）の用紙を積載したままトレイを閉じ、再度使用するまでそのままの状態にしておけるものが開発された（特開平１１−３２２１３８号公報参照）。
【０００５】
ここでは、トレイに積載される用紙を１枚づつ搬出する給紙ローラと、給紙ローラから搬出される用紙を転写ローラの手前で待機させるレジストローラとを複写機本体に内蔵しており、用紙を給紙ローラで搬送路を経由させてレジストローラに搬送している。
【０００６】
【発明が解決しようとする課題】
上記改良された複写機では、所定サイズの用紙を積載したままトレイを閉じることができるので、積載用紙の吸湿、防塵にもなるといった利点を有するものの、給紙ローラからレジストローラまでの搬送路は長く、しかも装置本体に一体として内蔵されていたので、万一この搬送路内で紙詰まりを起こした場合には、簡単に詰まった用紙を取り除くことができず、その都度サービスマンコールとなり、ジャム処理に手間がかかるという問題があった。
【０００７】
本発明は、上記問題を解決するもので、簡単に詰まった紙を取り除くことができる画像処理装置を提供することを目的とする。
【０００８】
【課題を解決するための手段】
請求項１記載の発明は、バイパストレイに積載される用紙を１枚づつ搬出する給紙部と、この給紙部からの用紙を転写部に連なるメインルートへ搬入するための合流点とを有する給紙機構を装置本体に内蔵した画像形成装置であって、装置本体にバイパストレイを装着した状態で、給紙部と合流点との間の用紙搬送路を該装置本体外に引き出し可能に構成したことを特徴とするものである。
請求項４記載の発明は、バイパストレイに積載される用紙を１枚づつ搬出する給紙部と、この給紙部からの用紙を転写部に連なるメインルートへ搬入するための合流点とを有する給紙機構を装置本体に内蔵した画像形成装置であって、給紙部と合流点との間の用紙搬送路を、装置本体外に引き出し可能で且つ取り外し可能な本体部と、この本体部上に装置本体外で開放可能となる蓋部とを備え、本体部と蓋部との間で用紙を搬送するように構成したことを特徴とするものである。
【０００９】
これらの構成によれば、給紙部と合流点との間の用紙搬送路内で紙詰まりを生じたときには、用紙搬送路が装置本体外に引き出されるので、その詰まった紙が容易に取り除かれる。
【００１０】
請求項２，４記載の発明のように、用紙搬送路は、さらに装置本体から取り外し可能に構成したこととすれば、給紙部と合流点との間の用紙搬送路内で紙詰まりを生じ、この引き出された用紙搬送路の設置スペース内に紙片が取り残されたときには、用紙搬送路がさらに装置本体外に取り出されるので、その設置スペースに残された紙片が容易に取り除かれる。
【００１１】
請求項３，４記載の発明のように、用紙搬送路は、装置本体から引き出し可能で且つ取り外し可能な本体部と、この本体部上に装置本体外で開放可能に載置された蓋部とを備え、本体部と蓋部との間で用紙を搬送するものであることとすれば、給紙部と合流点との間の用紙搬送路内で紙詰まりを生じたときに、用紙搬送路の本体部と蓋部とが一体として装置本体外に引き出され、装置本体外で本体部から蓋部が開放されるので、詰まった紙が容易に取り除かれる。さらに、この引き出された用紙搬送路の設置スペース内に紙片が取り残されたときには、用紙搬送路が装置本体外に取り外されてその設置スペースが開放されるので、そこに残された紙片が容易に取り除かれる。
【００１２】
請求項５記載の発明のように、用紙搬送路が装置本体から引き出された状態で、蓋部が開放可能であることとすれば、給紙部と合流点との間の用紙搬送路内で紙詰まりを生じたときに、用紙搬送路が装置本体外に引き出されるだけで蓋部が開放可能となるので、用紙搬送路を装置本体外に一々取り外さなくても、詰まった紙が容易に取り除かれる。
【００１３】
請求項６記載の発明のように、用紙搬送路に、少なくとも１対の搬送ローラを対向配備し、この搬送ローラ対で用紙を搬送方向に排出可能としたこととすれば、本体部と蓋部との間に残された用紙が搬送ローラ対間にかかっている限り、その搬送ローラ対で搬送方向に容易に排出される。
【００１４】
【発明の実施の形態】
図１は本発明の一実施形態に係る複写機の概略構成を示す模式図である。
【００１５】
図１に示すように、この複写機（画像形成装置の一例）１では、複写機本体１０１内において、帯電部１０２により図中のＡ方向に回転する感光体ドラム１０３が一様に帯電され、原稿読取部１０４により読み取られた原稿画像に基づくレーザ走査ユニット（ＬＳＵ）１０５からのレーザビームにより感光体ドラム１０３上に静電潜像が形成され、現像部１０６により静電潜像にトナーが付着してトナー像が形成される。
【００１６】
一方、用紙が給紙機構２００から感光体ドラム１０３に向けて搬送され、転写ローラ（転送部）１０８により感光体ドラム１０３表面のトナー像が用紙に転写される。そして、感光体ドラム１０３から分離された用紙は定着ローラ対１０９に搬送され、ここでトナー像が定着された用紙は、そのまま（或いは、図略のスイッチバック部で反転されて両面コピーされた後に）、排出ローラ対１１０により排出部１１１に排出される。なお、１１２はクリーニング部であり、感光体ドラム１０３上の残留トナー等を除去するものである。
【００１７】
給紙機構２００は、複写機本体１０１に着脱自在に取り付けられ、用紙を収納する給紙カセット２０１，２０２と、その上方に設けられるスタックバイパス（バイパストレイ）２０３とを備えてなっている。この給紙機構２００には、各給紙カセット２０１，２０２から現像部１０６の下流側の感光体ドラム１０３に用紙を搬送するための縦搬送路（メインルート）２０４と、スタックバイパス２０３からの用紙のジャム処理を行うためのジャム処理ユニット（用紙搬送路）３００と、ジャム処理ユニット３００を経由した用紙をさらに感光体ドラム１０３の方向に搬送するバイパス搬送路２０５とが設けられているが、縦搬送路２０４は、複写機本体１０１で図中の左側に偏った位置でほぼ垂直方向に配置されており、スタックバイパス２０３とバイパス搬送路２０５とは、縦搬送路２０４とは反対側、つまり図中の右側から中央位置にかけてほぼ水平方向に配置されている。
【００１８】
各給紙カセット２０１，２０２及びスタックバイパス２０３には、収納されている用紙を取り出すためのピックアップローラ２０６，２０７，２０８と、用紙を１枚ずつ搬送路に送り出す（捌く）ための給紙ローラ対２０９，２１０，２１１とが設けられている。このうちの、給紙ローラ対２１１が給紙部に相当する。
【００１９】
縦搬送路２０４には、搬送ローラ対２１２，２１３が設けられており、バイパス搬送路２０５は、感光体ドラム１０３と転写ローラ１０８とが対向する転写位置下方で合流している。上記配置では、給紙ローラ対２１１から合流点２０５ａまでの長さを比較的長くとれるので、バイパス搬送路２０５は緩やかな角度でもって縦搬送路２０４に合流させることができる。この合流点２０５ａの直ぐ下流には、搬送されてくる用紙を所定位置に待機させるためのレジストローラ対２１４が設けられている。さらに下流側は上述した通りの搬送ルートとなっている。
【００２０】
図２は本複写機におけるジャム処理ユニットの全体構成を示す斜視図、図３はジャム処理ユニットをスタックバイパスに連結した状態を示す斜視図、図４はジャム処理ユニットの分解斜視図である。以下、ジャム処理ユニット３００について詳述する。なお、用紙の搬送方向（図中のＣ方向）と平行な方向を左右方向、その直角方向（図中のＤ方向）と平行な方向を前後方向という。
【００２１】
ジャム処理ユニット３００は、図２に示すように、全体が前後に長尺をなす筺状（直方体状）に形成されており、通常時には、図３に示すように、このジャム処理ユニット３００は、複写機本体１０１の設置スペース１１５内に収納されてスタックバイパス２０３と連結されている。そして、スタックバイパス２０３の給紙ローラ対２１１で１枚づつ搬送される用紙は、必ずこのジャム処理ユニット３００を経由して、図１のバイパス搬送路２０５に導かれるようになっている。
【００２２】
設置スペース１１５の底面は、ジャム処理ユニット３００の全重量を支えつつ、それをスムーズに引き出し等するために、十分な強度を有する平板状のユニット支持部１１４として形成されており、詳しくは後述するが、ジャム処理ユニット３００は、ユニット支持部１１４上に前後方向にスライド可能に載置されている。また、設置スペース１１５の天井面の高さはジャム処理ユニット３００の蓋部３０３がそこでは開放されないように設定されている。
【００２３】
そして、ジャム処理時には、複写機本体１０１の前カバー１１６を開けてジャム処理ユニット３００をＤ方向に引き出し等することにより、ジャム処理ユニット３００をスタックバイパス２０３及びバイパス搬送路２０５から容易に切り離して、複写機本体１０１の外部でその蓋部３０３を開放できるように構成されている。
【００２４】
すなわち、ジャム処理ユニット３００は、図４に示すように、複写機本体１０１から引き出し可能で且つ取り外し可能なレール部３０１と、レール部３０１上でさらに引き出し可能な本体部３０２と、本体部３０２上に複写機本体１０１外で図中のＢ方向（Ｄ方向にジャム処理ユニット３００を見たときの反時計方向）に開放可能となる蓋部３０３とを備えている。また、本体部３０２と蓋部３０３とに、第１ローラ対３０４と、第２搬送ローラ対３０５とをそれぞれ対向配備しており（図では上ローラのみを示している）、この第１，第２搬送ローラ対３０４，３０５間で用紙をＣ方向に搬送可能に構成されている。第１，第２ローラ対３０４，３０５の材質、幅寸法、設置数及び設置位置は、用紙の搬送時及びジャム処理時に必要な摩擦力が得られるように決定される。
【００２５】
レール部３０１は、それぞれ長尺板の左右両側を内側に折り返して断面Ｃ字状とした上レール３０６と下レール３０７とを互いに背面で連結して横置きした形状をなしており、下レール３０７の裏面後端側には突起状の係止部材３０８が固定されている。また、上下レール３０６，３０７の前端側には共通のストッパ部材３０９が固定されている。
【００２６】
本体部３０２は、直方体状に形成されており、その裏面に上下レール３０６，３０７を案内するための、断面逆凹状のガイド板３１０が固定されている。ガイド板３１０の内側適所（図中ではその一部しか示していないが全部で４箇所）には、上レール３０６の左右折り返し部分よりも高さ寸法が若干低めに設定された上コロ３１１が横回転自在に取り付けられている。この上コロ３１１が上レール３０６の左右折り返し部分内に摺動可能に緩くはめ込れ、且つストッパ部材３０９で上レール３０６から上コロ３１１の摺動範囲が規制されている。これにより、本体部３０２は、レール部３０１上を脱落することなくＤ方向にスライドして複写機本体１０１外へ引き出しできる構造となっている。
【００２７】
一方、複写機本体１０１の所定位置には、上述したようなユニット支持部１１４が形成されており、その表面側適所（図中ではその一部しか示していないが全部で４箇所）には、下レール３０７の折り返し部分よりも高さ寸法が若干低めに設定された下コロ３１２が横回転自在に取り付けられている。この下コロ３１２が下レール３０７の折り返し部分内に摺動可能に緩くはめ込まれ、且つストッパ部材３０９で下レール３０７から下コロ３１２の摺動範囲が規制されている。
【００２８】
また、ユニット支持部１１４の表面の前端側適所には、係止部材３０８と係合又は係合解除が可能な、前下がりの傾斜面及びその後に連なる直立面を有する係合部材３１３が固定されている。係止部材３０８と係合部材３１３の高さ寸法は、ユニット支持部１１４上を下レール３０７がＤ方向にスライド移動するときに、係止部材３０８が係合部材３１３の直立面と当接することで両者が係合され、下レール３０７が持ち上げられて、この当接高さを乗り超えることで両者の係合が解除されるように設定される。
【００２９】
そして、上記と逆方向にユニット支持部１１４上を下レール３０７がスライド移動するときには、係止部材３０８が係合部材３１３の傾斜面に案内されて、下レール３０７が徐々に持ち上げられ、上記当接高さを容易に乗り超えることができ、ジャム処理ユニット３００の設置スペース１１５内への挿入をスムーズに行うことができる。
【００３０】
これにより、レール部３０１は、ユニット支持部１１４上を図中のＤ方向にスライドして複写機本体１０１外へ引き出しでき、さらに、その位置でレール部３０１を本体部３０２及び蓋部３０３とともに上下レール３０６，３０７と上下コロ３１１，３１２との隙間内で、かつ、係止部材３０８と係合部材３１３との上記当接高さを超えるまで持ち上げることで、レール部３０１、本体部３０２及び蓋部３０３とを一体としてユニット支持部１１４から取り外しでき、その逆に、一旦取り外したジャム処理ユニット３００をユニット支持部１１４に取り付けられるようになっている。
【００３１】
なお、係止部材３０８を前下がりの傾斜面及びその後に連なる直立面で形成するとともに、係合部材３１３を突起状に形成することとしてもよく、或いは、係止部材３０８を直立面及びそれに連なる前上がりの傾斜面で形成するとともに、係合部材３１３を前下がりの傾斜面及びその後に連なる直立面で形成することとしてもよい。
【００３２】
ここで、ジャム処理ユニット３００を二段スライドさせて複写機本体１０１から引き出すとともに、複写機本体１０１外への取り外しも可能としているのは、複写機本体１０１内の狭隘なスペース等を考慮したものである。なお、上記引き出し及び取り外しに便利なように、本体部３０２の前端には、把持部３０２ａが設けられている。
【００３３】
蓋部３０３は、本体部３０２上を覆うように形成された半透明の樹脂製であり、その下面は、僅かの隙間をあけて本体部３０２の上面と対向させることで、両面間に用紙の搬送路３０３ａを構成している。蓋部３０３を半透明としたのは、ジャム処理ユニット３００を複写機本体１０１外に引き出した時点で、蓋部３０３を開放するまでもなく、紙詰まりの有無を視認できるようにしたものである。また、蓋部３０３の図２，３における右端側（図４における左端側）は、前後方向の回転軸３１４周りに回転可能に取り付けられており、これにより、蓋部３０３は複写機本体１０１外に引き出された状態で、図２，３における左端側（図４における右端側）を時計方向に回転させて開放することができるようになっている。
【００３４】
蓋部３０３の左右両側には、前後両側壁を貫通するローラ回転軸３１５，３１６が平行に且つ回転自在に支持されている。ローラ回転軸３１６の後端には、プーリ３１７が取り付けられており、その中間には４組の第２搬送ローラ対３０５の上ローラが取り付けられており、さらに前端にはハンドル３１８が取り付けられている。一方、ローラ回転軸３１５の後端には、プーリ３１９が取り付けられており、その中間には２組の第１搬送ローラ対３０４の上ローラが取り付けられている。一方、本体部３０２の左右両側には、蓋部３０３の上記構造と対応するように、前後両側壁を貫通するローラ回転軸（図略）が平行に且つ回転自在に支持されており、このローラ回転軸の中間には第１，第２搬送ローラ対３０４，３０５の下ローラ（図略）が取り付けられている。
【００３５】
プーリ３１７，３１９の外周には適当なピッチで歯が切ってあり、このプーリ３１７，３１９間は内周に同ピッチの歯が形成された無端環状ベルト３２０が巻き掛けられているので、用紙の搬送につれて第１，第２搬送ローラ対３０４，３０５は同期して回転するようになっている。また、ジャム処理時には、ハンドル３１８を手動で回転させると、上記と同様に、第１，第２搬送ローラ対３０４，３０５は同期して回転することとなり、これにより、ジャム処理ユニット３００内にある用紙を強制的にＣ方向或いはその反対方向に排出することができる。したがって、用紙が第１，第２搬送ローラ対３０４，３０５のいずれか一方にかかっている限り、その用紙をジャム処理ユニット３００から容易に取り除くことができる。
【００３６】
本実施形態では、以下のような手順でジャム処理が行われる。
【００３７】
ジャム処理ユニット３００内における紙詰まりの発生及び紙詰まりの解消は、複写機本体１０１の適所に設けられたペーパセンサ（図略）からの出力信号を受けて、表示器（図略）にその状態が表示されることにより検知される。その場合には、最初のジャム処理操作として、ユーザは複写機本体１０１の前カバー１１６を開いてジャム処理ユニット３００の前面側を開放する。すると、ジャム処理ユニット３００の前面が現れるので、ハンドル３１８を例えば時計方向或いは反時計側に回転操作して、そこに詰まっている用紙を強制的に図中のＣ方向或いはその反対方向に排出する。そして、バイパス搬送路２０５側或いはスタックバイパス２０３側に排出された用紙は同側から取り除かれる。
【００３８】
上記操作によっても、紙詰まりが解消されないときは、本体部３０２と蓋部３０３との間に用紙が残っていると考えられる。例えば、上記最初のジャム処理操作において、用紙を無理に引っ張ってその用紙が破れ、用紙の一部が第１，第２ローラ対３０４，３０５間に取り残されている場合である。このときには、ジャム処理ユニット３００の把持部３０２ａを把持して前方に引っ張ると、レール部３０１と本体部３０２と蓋部３０３とが複写機本体１０１から一体として引き出される。すなわち、本体部３０２がレール部３０１の上レール３０６上をＤ方向にスライド移動し、前側の上コロ３１１がストッパ部材３０９に当接すると、その位置で、本体部３０２の上レール３０６上でのスライド移動は停止する。すると、レール部３０１がユニット支持部１１４上をＤ方向にスライド移動し始める。そして、係止部材３０８と係合部材３１３の直立面とが当接して係合すると、その係合位置で、下レール３０７のユニット支持部１１４上でのスライド移動は停止する。したがって、ユーザの意思に反して、ジャム処理ユニット３００が複写機本体１０１外へ脱落することが防止される。そして、蓋部３０３が図４中のＢ方向に開放されると、本体部３０２上に残っている用紙が取り除かれる。
【００３９】
上記操作によっても、まだ紙詰まりが解消されないときは、複写機本体１０１の設置スペース１１５内に紙片が残っていることが考えられる。例えば、上記最初のジャム処理操作において、用紙を無理に引っ張ってその用紙が破れ、その紙片が設置スペース１１５内に取り残されている場合である。このときには、ジャム処理ユニット３００の把持部３０２ａを把持して斜め上方に持ち上げると、係止部材３０８と係合部材３１３との係合状態が解除され、さらに把持部３０２ａでジャム処理ユニット３００を手前に引くと、そのレール部３０１と本体部３０２と蓋部３０３とが複写機本体１０１から一体として取り外される。そして、ジャム処理ユニット３００全体が複写機本体１０１から取り外され、設置スペース１１５内に残っている紙片が取り除かれる。
【００４０】
このようにして、紙詰まりを解消した後、上記とほぼ逆の手順でジャム処理ユニット３００を装置本体１０１内の所定位置に復旧する。すなわち、ジャム処理ユニット３００の把持部３０２ａを把持して設置スペース１１５内に挿入していくと、係止部材３０８が係合部材３１３の傾斜面を昇り、上記当接高さを容易に乗り超えることができる。
【００４１】
さらに、把持部３０２ａでジャム処理ユニット３００を後方へ挿入すると、ジャム処理ユニット３００全体が複写機本体１０１の設定スペース１１５内に収納される。そして、複写機本体１０１の前カバー１１６を閉じると、ジャム処理が完了する。
【００４２】
以上のように、本実施形態によれば、給紙ローラ２１１とレジストローラ２１４との間の用紙搬送路としてのジャム処理ユニット３００内で紙詰まりを生じたときに、ジャム処理ユニット３００のレール部３０１と、本体部３０２と、蓋部３０３とが一体として複写機本体１０１外に引き出され、この複写機本体１０１外で本体部３０２から蓋部３０３が開放されるので、詰まった紙を容易に取り除くことができる。
【００４３】
さらに、この引き出されたジャム処理ユニット３００の設置スペース１１５内に紙片が取り残されたときには、ジャム処理ユニット３００が複写機本体１０１外に取り外されて設置スペース１１５が開放されるので、そこに残された紙片を容易に取り除くことができる。したがって、サービスマンコールを減らして複写機１の稼働率を向上させることができる。
【００４４】
なお、上記実施形態では、ジャム処理ユニット３００をスタックバイパス２０３に連結させているが、給紙部としての給紙ローラ対２１１から、縦搬送路２０４とバイパス搬送路２０５との合流点２０５ａまでの搬送路内であれば、複写機１の構成に応じた任意の位置にこのジャム処理ユニット３００を介装させることができる。給紙部は、必ずしも給紙ローラ対２１１に限られず、例えば吸引式のものであってもよい。
【００４５】
また、上記実施形態では、ジャム処理ユニット３００を二段スライドさせて複写機本体１０１から引き出すとともに、複写機本体１０１外への取り外しも可能であるとしているが、必ずしも取り外しができるものである必要はなく、また複写機本体１０１内のスペースが十分にある場合には二段スライド構造とする必要もない。例えば複写機本体１０１から引き出しのみ可能な二段スライド機構、さらには単段スライド構造とすればユニットをさらに簡単化することができる。
【００４６】
また、上記実施形態では、ジャム処理ユニット３００に第１，第２搬送ローラ対３０４，３０５を設けているが、ユニット寸法によっては、これらうちの一方或いは両方を外部の搬送路上に設置することとしてもよく、或いはさらに多くの搬送ローラ対をユニット内に設けてもよい。
【００４７】
また、上記実施形態では、複写機を用いて説明しているが、これに限られず、本発明は、ファクシミリやプリンタなど、電子写真方式の画像形成装置に適用することができる。
【００４８】
【発明の効果】
請求項１，４記載の発明によれば、給紙部と合流点との間の用紙搬送路内で紙詰まりを生じたときには、用紙搬送路を装置本体外に引き出すことができるので、その詰まった紙を容易に取り除くことができる。したがって、サービスマンコールを減らして装置の稼働率を向上させることができる。
【００４９】
請求項２，４記載の発明によれば、給紙部と合流点との間の用紙搬送路内で紙詰まりを生じ、この引き出された用紙搬送路内に紙片が取り残されたときには、用紙搬送路をさらに装置本体外に取り出してその設置スペースを開放することができるので、その紙片を容易に取り除くことができる。したがって、サービスマンコールをさらに減らして装置の稼働率を一層向上させることができる。
【００５０】
請求項３，４記載の発明によれば、給紙部と合流点との間の用紙搬送路内で紙詰まりを生じたときに、用紙搬送路の本体部と蓋部とを一体として装置本体外に引き出すことができ、装置本体外で本体部から蓋部を開放することができるので、詰まった紙を容易に取り除くことができる。さらに、この引き出された用紙搬送路の設置スペース内に紙片が取り残されたときには、用紙搬送路を装置本体外に取り外して上記設置スペースを開放することができるので、そこに残された紙片を容易に取り除くことができる。したがって、サービスマンコールをさらに減らして装置の稼働率を一層向上させることができる。
【００５１】
請求項５記載の発明によれば、給紙部と合流点との間の用紙搬送路内で紙詰まりを生じたときに、用紙搬送路の本体部と蓋部とを一体として装置本体外に引き出すだけで、装置本体外で本体部から蓋部を開放することができるので、用紙搬送路を装置本体外に一々取り外さなくても、詰まった紙を容易に取り除くことができる。したがって、サービスマンコールをさらに減らして装置の稼働率を一層向上させることができる。
【００５２】
請求項６記載の発明によれば、用紙搬送路内に残された用紙が搬送ローラ対間にかかっている限り、その用紙を搬送ローラ対で搬送方向に容易に排出することができる。したがって、サービスマンコールをさらに減らして装置の稼働率を一層向上させることができる。
【図面の簡単な説明】
【図１】本発明の一実施形態に係る複写機の概略構成を示す模式図である。
【図２】本複写機におけるジャム処理ユニットの全体構成を示す斜視図である。
【図３】ジャム処理ユニットをスタックバイパスに連結した状態を示す斜視図である。
【図４】ジャム処理ユニットの分解斜視図である。
【符号の説明】
１  複写機（画像形成装置）
１０１  複写機本体（装置本体）
１０３  感光体ドラム
１０８  転写ローラ（転写部）
２００  給紙機構
２０１，２０２  給紙カセット
２０３  スタックバイパス（バイパストレイ）
２０４  縦搬送路（メインルート）
２０５  バイパス搬送路
２０５ａ  合流点
２０８  ピックアップローラ
２１１  給紙ローラ対（給紙部）
２１４  レジストローラ対
３００  ジャム処理ユニット（用紙搬送路）
３０１  レール部
３０２  本体部
３０３  蓋部
３０４  第１搬送ローラ対（搬送ローラ対）
３０５  第２搬送ローラ対（搬送ローラ対）
Ｂ  蓋部の開放方向
Ｃ  用紙の搬送方向
Ｄ  用紙の搬送方向と直角方向
【図１】
0003610016.tif 000002
【図２】
0003610016.tif 000003
【図３】
0003610016.tif 000004
【図４】
0003610016.tif 000005